(57)【特許請求の範囲】
【請求項１】
ブロック本体（１Ａ）と床板（１Ｂ）から構成され、
ブロック本体（１Ａ）は、コンクリートでなる下方枠（１Ａ１）と上方枠（１Ａ２）と支柱（１Ａ３）から構成され、下方枠（１Ａ１）は、角柱体を平面前後左右に配し平面方形に連結され、上方枠（１Ａ２）は、角柱体を平面前後左右に配し平面方形に連結され、下方枠（１Ａ１）と上方枠（１Ａ２）とは、四隅に配した４本の支柱（１Ａ３）で連結され、全体が立方体状に構成され、上方枠（１Ａ２）には一定間隔で前後方向の第１ボルト穴（１Ａ２１）と、左右方向の第２ボルト穴（１Ａ２２）が開設され、４本の支柱（１Ａ３）には、上下位置をもってそれぞれ前後方向の第３ボルト穴（１Ａ３１）と、左右方向の第４ボルト穴（１Ａ３２）が開設され、両者は開設高さが異なるよう構成され、
床板（１Ｂ）は、上方枠（１Ａ２）の上面と一致するよう構成された板（１Ｂ１）と、この板の下面に連設された上方枠（１Ａ２）の内周面に上方から嵌合する突縁（１Ｂ２）と、この突縁に第１ボルト穴（１Ａ２１）と第２ボルト穴（１Ａ２２）に対応するよう開設された第５ボルト穴（１Ｂ３、１Ｂ３．．）から構成されていることを特徴とする人工土地用ブロック。
【請求項２】
ブロック本体（１Ａ）における下方枠（１Ａ１）に適数枚の補強板（１Ｃ）が張設されているか、あるいはブロック本体（１Ａ）における下方枠（１Ａ１）に、一定間隔で前後方向の第６ボルト穴（１Ａ１１）と、左右方向の第７ボルト穴（１Ａ１２）が開設されている請求項１記載の人工土地用ブロック。
【請求項３】
下記の各工程から構成されていることを特徴とする人工土地の形成方法。
第１工程
請求項１あるいは請求項２記載の人工土地用ブロック（１、１．．）におけるブロック本体（１Ａ、１Ａ．．）を地表（Ｇ．Ｌ）上に前後左右に並べ、第１ボルト穴（１Ａ２１）は第１ボルト穴同士を対応させ、また第２ボルト穴（１Ａ２２）は第２ボルト穴同士を対応させ、同時に、第３ボルト穴（１Ａ３１）は第３ボルト穴同士、また第４ボルト穴（１Ａ２）は第４ボルト穴同士を対応させてボルト（Ｂ）で連結する。
第２工程
第１工程を経た後、各ブロック本体（１Ａ、１Ａ．．）に床板（１Ｂ）を上方から被せ、第５ボルト穴（１Ｂ３、１Ｂ３．．）にブロック本体（１Ａ）側の第１ボルト穴（１Ａ２１、１Ａ２１）と第２ボルト穴（１Ａ２２、１Ａ２２）を対応させてボルト（Ｂ）で連結する。このようにして、人工土地（イ）を得る。
【請求項４】
下記の各工程から構成されていることを特徴とする人工土地の形成方法。
第１工程
請求項１あるいは請求項２記載の人工土地用ブロック（１、１．．）におけるブロック本体（１Ａ、１Ａ．．）を地表（Ｇ．Ｌ）上に前後左右に並べ、第１ボルト穴（１Ａ２１）は第１ボルト穴同士を対応させ、また第２ボルト穴（１Ａ２２）は第２ボルト穴同士を対応させ、同時に、第３ボルト穴（１Ａ３１）は第３ボルト穴同士、また第４ボルト穴（１Ａ２）は第４ボルト穴同士を対応させてボルト（Ｂ）で連結する。
第２工程
第１工程を経た後、各ブロック本体（１Ａ、１Ａ．．）に床板（１Ｂ）を上方から被せ、第５ボルト穴（１Ｂ３、１Ｂ３．．）にブロック本体（１Ａ）側の第１ボルト穴（１Ａ２１、１Ａ２１）と第２ボルト穴（１Ａ２２、１Ａ２２）を対応させてボルト（Ｂ）で連結する。
第３工程
第２工程により連結されたブロック本体（１Ａ、１Ａ．．）のうち、所望するブロック本体（１Ａ）にアンカー（１Ｄ）を取付け、そのアンカーを地中に埋設する。このようにして、人工土地（ロ）を得る。
【請求項５】
下記の各工程から構成されていることを特徴とする人工土地の形成方法。
第１工程
人工土地の形成を所望する地面を地表（Ｇ．Ｌ）より所定深さに掘削し窪み（図示略）を形成する。
第２工程
窪み内に請求項１あるいは請求項２記載の人工土地用ブロック（１）におけるブロック本体（１Ａ、１Ａ．．）を前後左右に並べ、第１ボルト穴（１Ａ２１）は第１ボルト穴同士を対応させ、また第２ボルト穴（１Ａ２２）は第２ボルト穴同士を対応させ、同時に、第３ボルト穴（１Ａ３１）は第３ボルト穴同士、また第４ボルト穴（１Ａ２）は第４ボルト穴同士を対応させてボルト（Ｂ）で連結する。
第３工程
掘上げられた土砂を埋め戻す。
第４工程
第３工程を経た後、各ブロック本体（１Ａ、１Ａ．．）に床板（１Ｂ）を上方から被せ、第５ボルト穴（１Ｂ３、１Ｂ３．．）にブロック本体（１Ａ）側の第１ボルト穴（１Ａ２１、１Ａ２１）と第２ボルト穴（１Ａ２２、１Ａ２２）を対応させてボルト（Ｂ）で連結する。このようにして、人工土地（ハ）を得る。
【請求項６】
下記の各工程から構成されていることを特徴とする付帯設備を有する人工土地の形成方法。
第１工程
請求項３記載の人工土地の形成方法で人工土地（イ）を得る。
第２工程
人工土地（イ）の側壁部分に昇降用階段体（２）を取付け、付帯設備を有する人工土地（ニ）を得る。
【請求項７】
下記の各工程から構成されていることを特徴とする付帯設備を有する人工土地の形成方法。
第１工程
請求項３記載の人工土地の形成方法でプール用開口部（１Ｅ）が形成されている人工土地（イ）を得る。
第２工程
プール用開口部（１Ｅ）にプール体（３）を取付ける。
【請求項８】
下記の各工程から構成されていることを特徴とする付帯設備を有する人工土地の形成方法。
第１工程
請求項３記載の人工土地の形成方法で露天風呂用開口部（１Ｆ）が形成されている人工土地（イ）を得る。
第２工程
露天風呂用開口部（１Ｆ）に露天風呂体（４）を取付ける。
【請求項９】
下記の各工程から構成されていることを特徴とする付帯設備を有する人工土地の形成方法。
第１工程
請求項３、請求項４、請求項５のいずれかに記載の人工土地の形成方法で人工土地（イ、ロ、ハ）を得る。
第２工程
第１工程で得た人工土地の外周辺のうち、防風を所望する辺にフェンス体（５）を添設起立させる。
【請求項１０】
下記の各工程から構成されていることを特徴とする付帯設備を有する人工土地の形成方法。
第１工程
請求項３、請求項４、請求項５のいずれかに記載の人工土地の形成方法で人工土地（イ、ロ、ハ）を得る。
第２工程
第１工程で得た人工土地の外周辺のうち、防風を所望する辺にハウス体（６）を添設起立させる。
【発明の詳細な説明】
【０００１】
【発明の属する技術分野】
本発明は、新規な構成を有する人工土地用ブロックと、人工土地の形成方法と、付帯設備を有する人工土地の形成方法に関するものである。
【０００２】
【従来の技術】
従来の人工土地は、下記のような構成となっている。
鉄筋コンクリートまたは鉄骨造の大規模なもので、上、下で人が行動できるものである。
公共的なものが多く、個人的に使用するものは皆無であった。
【０００３】
【発明が解決しようとする課題】
従来の技術で述べたものにあっては、下記のような問題点を有していた。
個人的な人工土地を作りたいが、自分で組立てる方法がなかった。
工事会社に依頼すると、人工土地を得ることができるが、高価であり、また固定式である。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
第１発明は、ブロック本体１Ａと床板１Ｂから構成され、
Ａ．ブロック本体１Ａは、コンクリートでなる下方枠１Ａ１と上方枠１Ａ２と支柱１Ａ３から構成され、下方枠１Ａ１は、角柱体を平面前後左右に配し平面方形に連結され、上方枠１Ａ２は、角柱体を平面前後左右に配し平面方形に連結され、下方枠１Ａ１と上方枠１Ａ２とは、四隅に配した４本の支柱１Ａ３で連結され、全体が立方体状に構成され、上方枠１Ａ２には一定間隔で前後方向の第１ボルト穴１Ａ２１と、左右方向の第２ボルト穴１Ａ２２が開設され、４本の支柱１Ａ３には、上下位置をもってそれぞれ前後方向の第３ボルト穴１Ａ３１と、左右方向の第４ボルト穴１Ａ３２が開設され、両者は開設高さが異なるよう構成され、
Ｂ．床板１Ｂは、上方枠１Ａ２の上面と一致するよう構成された板１Ｂ１と、この板の下面に連設された上方枠１Ａ２の内周面に上方から嵌合する突縁１Ｂ２と、この突縁に第１ボルト穴１Ａ２１と第２ボルト穴１Ａ２２に対応するよう開設された第５ボルト穴１Ｂ３、１Ｂ３．．から構成されている人工土地用ブロックである。
【０００６】
上述のほか、第１発明を下記のように構成することができる。
ブロック本体１Ａにおける下方枠１Ａ１に適数枚の補強板１Ｃが張設されているか、あるいはブロック本体１Ａにおける下方枠１Ａ１に、一定間隔で前後方向の第６ボルト穴１Ａ１１と、左右方向の第７ボルト穴１Ａ１２が開設されている。
【０００７】
第２発明は、下記の各工程から構成されている人工土地の形成方法である。
第１工程
請求項１あるいは請求項２記載の人工土地用ブロック１、１．．におけるブロック本体１Ａ、１Ａ．．を地表Ｇ．Ｌ上に前後左右に並べ、第１ボルト穴１Ａ２１は第１ボルト穴同士を対応させ、また第２ボルト穴１Ａ２２は第２ボルト穴同士を対応させ、同時に、第３ボルト穴１Ａ３１は第３ボルト穴同士、また第４ボルト穴１Ａ２は第４ボルト穴同士を対応させてボルトＢで連結する。
第２工程
第１工程を経た後、各ブロック本体１Ａ、１Ａ．．に床板１Ｂを上方から被せ、第５ボルト穴１Ｂ３、１Ｂ３．．にブロック本体１Ａ側の第１ボルト穴１Ａ２１、１Ａ２１と第２ボルト穴１Ａ２２、１Ａ２２を対応させてボルトＢで連結する。このようにして、人工土地イを得る。
【０００８】
第３発明は、下記の各工程から構成されている人工土地の形成方法である。
第１工程
請求項１あるいは請求項２記載の人工土地用ブロック１、１．．におけるブロック本体１Ａ、１Ａ．．を地表Ｇ．Ｌ上に前後左右に並べ、第１ボルト穴１Ａ２１は第１ボルト穴同士を対応させ、また第２ボルト穴１Ａ２２は第２ボルト穴同士を対応させ、同時に、第３ボルト穴１Ａ３１は第３ボルト穴同士、また第４ボルト穴１Ａ２は第４ボルト穴同士を対応させてボルトＢで連結する。
第２工程
第１工程を経た後、各ブロック本体１Ａ、１Ａ．．に床板１Ｂを上方から被せ、第５ボルト穴１Ｂ３、１Ｂ３．．にブロック本体１Ａ側の第１ボルト穴１Ａ２１、１Ａ２１と第２ボルト穴１Ａ２２、１Ａ２２を対応させてボルトＢで連結する。
第３工程
第２工程により連結されたブロック本体１Ａ、１Ａ．．のうち、所望するブロック本体１Ａにアンカー１Ｄを取付け、そのアンカーを地中に埋設する。このようにして、人工土地ロを得る。
【０００９】
第４発明は、下記の各工程から構成されている人工土地の形成方法である。
第１工程
人工土地の形成を所望する地面を地表Ｇ．Ｌより所定深さに掘削し窪み（図示略）を形成する。
第２工程
窪み内に請求項１あるいは請求項２記載の人工土地用ブロック１におけるブロック本体１Ａ、１Ａ．．を前後左右に並べ、第１ボルト穴１Ａ２１は第１ボルト穴同士を対応させ、また第２ボルト穴１Ａ２２は第２ボルト穴同士を対応させ、同時に、第３ボルト穴１Ａ３１は第３ボルト穴同士、また第４ボルト穴１Ａ２は第４ボルト穴同士を対応させてボルトＢで連結する。
第３工程
掘上げられた土砂を埋め戻す。
第４工程
第３工程を経た後、各ブロック本体１Ａ、１Ａ．．に床板１Ｂを上方から被せ、第５ボルト穴１Ｂ３、１Ｂ３．．にブロック本体１Ａ側の第１ボルト穴１Ａ２１、１Ａ２１と第２ボルト穴１Ａ２２、１Ａ２２を対応させてボルトＢで連結する。このようにして、人工土地ハを得る。
【００１０】
第５発明は、下記の各工程から構成されている付帯設備を有する人工土地の形成方法である。
第１工程
請求項３記載の人工土地の形成方法で人工土地イを得る。
第２工程
人工土地イの側壁部分に昇降用階段体２を取付け、付帯設備を有する人工土地ニを得る。
【００１１】
第６発明は、下記の各工程から構成されている付帯設備を有する人工土地の形成方法である。
第１工程
請求項３記載の人工土地の形成方法でプール用開口部１Ｅが形成されている人工土地イを得る。
第２工程
プール用開口部１Ｅにプール体３を取付ける。
【００１２】
第７発明は、下記の各工程から構成されている付帯設備を有する人工土地の形成方法である。
第１工程
請求項３記載の人工土地の形成方法で露天風呂用開口部１Ｆが形成されている人工土地イを得る。
第２工程
露天風呂用開口部１Ｆに露天風呂体４を取付ける。
【００１３】
第８発明は、下記の各工程から構成されている付帯設備を有する人工土地の形成方法である。
第１工程
請求項３、請求項４、請求項５のいずれかに記載の人工土地の形成方法で人工土地イ、ロ、ハを得る。
第２工程
第１工程で得た人工土地の外周辺のうち、防風を所望する辺にフェンス体５を添設起立させる。
【００１４】
第９発明は、下記の各工程から構成されている付帯設備を有する人工土地の形成方法である。
第１工程
請求項３、請求項４、請求項５のいずれかに記載の人工土地の形成方法で人工土地イ、ロ、ハを得る。
第２工程
第１工程で得た人工土地の外周辺のうち、防風を所望する辺にハウス体６を添設起立させる。
【００１５】
【発明の実施の形態】
以下、本発明の実施の形態を実施例にもとづき図面を参照して説明する。
本発明は、人工土地用ブロックに関する発明と、人工土地の形成方法に関する発明と、付帯設備を有する人工土地の形成方法に関する発明から構成されている。
【００１６】
第１発明について説明する。
１は第１発明の人工土地用ブロックで、ブロック本体１Ａと床板１Ｂから構成されている。
Ａ．ブロック本体１Ａは、コンクリートでなる下方枠１Ａ１と上方枠１Ａ２と支柱１Ａ３から構成されている。
ａ．下方枠１Ａ１は、角柱体を平面前後左右に配し平面方形に連結されている。
ｂ．上方枠１Ａ２は、角柱体を平面前後左右に配し平面方形に連結されている。
ｃ．下方枠１Ａ１と上方枠１Ａ２とは、四隅に配した４本の支柱１Ａ３で連結され、全体が立方体状に構成されている。
ｄ．上方枠１Ａ２には一定間隔で前後方向の第１ボルト穴１Ａ２１と、左右方向の第２ボルト穴１Ａ２２が開設されている。
ｅ．４本の支柱１Ａ３には、上下位置をもってそれぞれ前後方向の第３ボルト穴１Ａ３１と、左右方向の第４ボルト穴１Ａ３２が開設され、両者は開設高さが異なるよう構成されている。
Ｂ．床板１Ｂは、上方枠１Ａ２の上面と一致するよう構成された板１Ｂ１と、この板の下面に連設された上方枠１Ａ２の内周面に上方から嵌合する突縁１Ｂ２と、この突縁に第１ボルト穴１Ａ２１と第２ボルト穴１Ａ２２に対応するよう開設された第５ボルト穴１Ｂ３、１Ｂ３．．から構成されている。
なお、上方枠１Ａ２については、付帯設備を取付ける穴１Ａ２３を必要に応じて穿設することができる。
【００１７】
第１発明の他の実施例について説明する。
Ａ．図５を参照して、ブロック本体１Ａにおける下方枠１Ａ１に適数枚の補強板１Ｃが張設されている。
Ｂ．図６を参照して、ブロック本体１Ａにおける下方枠１Ａ１に、一定間隔で前後方向の第６ボルト穴１Ａ１１と、左右方向の第７ボルト穴１Ａ１２が開設されている。
【００１８】
第２発明について説明する。
第２発明の人工土地の形成方法は、下記の各工程から構成されている。
第１工程
第１発明の人工土地用ブロック１、１．．におけるブロック本体１Ａ、１Ａ．．を地表Ｇ．Ｌ上に前後左右に並べ、第１ボルト穴１Ａ２１は第１ボルト穴同士を対応させ、また第２ボルト穴１Ａ２２は第２ボルト穴同士を対応させ、同時に、第３ボルト穴１Ａ３１は第３ボルト穴同士、また第４ボルト穴１Ａ２は第４ボルト穴同士を対応させてボルトＢで連結する。
第２工程
第１工程を経た後、各ブロック本体１Ａ、１Ａ．．に床板１Ｂを上方から被せ、第５ボルト穴１Ｂ３、１Ｂ３．．にブロック本体１Ａ側の第１ボルト穴１Ａ２１、１Ａ２１と第２ボルト穴１Ａ２２、１Ａ２２を対応させてボルトＢで連結する。
このようにして、人工土地イを得る。
なお、上記第１工程について、当該第１工程における第１発明の人工土地用ブロック１、１．．におけるブロック本体１Ａ、１Ａ．．を前後左右に並べる際、プールなどを設置するためのプール用開口部（図示略）、あるいは露天風呂などを設置するための露天風呂用開口部（図示略）を設けることができる。
【００１９】
第３発明について説明する。（図７、８を参照する。）
第３発明の人工土地の形成方法は、下記の各工程から構成されている。
この発明は、特に浮上がり防止を狙ったものである。
第１工程
第１発明の人工土地用ブロック１、１．．におけるブロック本体１Ａ、１Ａ．．を地表Ｇ．Ｌ上に前後左右に並べ、第１ボルト穴１Ａ２１は第１ボルト穴同士を対応させ、また第２ボルト穴１Ａ２２は第２ボルト穴同士を対応させ、同時に、第３ボルト穴１Ａ３１は第３ボルト穴同士、また第４ボルト穴１Ａ２は第４ボルト穴同士を対応させてボルトＢで連結する。
第２工程
第１工程を経た後、各ブロック本体１Ａ、１Ａ．．に床板１Ｂを上方から被せ、第５ボルト穴１Ｂ３、１Ｂ３．．にブロック本体１Ａ側の第１ボルト穴１Ａ２１、１Ａ２１と第２ボルト穴１Ａ２２、１Ａ２２を対応させてボルトＢで連結する。
第３工程
第２工程により連結されたブロック本体１Ａ、１Ａ．．のうち、所望するブロック本体１Ａにアンカー１Ｄを取付け、そのアンカーを地中に埋設する。
このようにして、人工土地ロを得る。
この場合、アンカー１Ｄは、連結チェン１Ｄ１とこの連結チェンの下端に連結された短い円柱状アンカー体１Ｄ２から構成され、連結チェンの上端はブロック本体１Ａにおける支柱１Ａ３に連結されている。
なお、上記第１工程について、当該第１工程における第１発明の人工土地用ブロック１、１．．におけるブロック本体１Ａ、１Ａ．．を前後左右に並べる際、プールなどを設置するためのプール用開口部（図示略）、あるいは露天風呂などを設置するための露天風呂用開口部（図示略）を設けることができる。
【００２０】
第４発明について説明する。（図９を参照する。）
第４発明の人工土地の形成方法は、下記の各工程から構成されている。
この発明は、特に浮上がり防止を狙ったものである。
第１工程
人工土地の形成を所望する地面を地表Ｇ．Ｌより所定深さに掘削し窪み（図示略）を形成する。
第２工程
窪み内に第１発明の人工土地用ブロック１におけるブロック本体１Ａ、１Ａ．．を前後左右に並べ、第１ボルト穴１Ａ２１は第１ボルト穴同士を対応させ、また第２ボルト穴１Ａ２２は第２ボルト穴同士を対応させ、同時に、第３ボルト穴１Ａ３１は第３ボルト穴同士、また第４ボルト穴１Ａ２は第４ボルト穴同士を対応させてボルトＢで連結する。
第３工程
掘上げられた土砂を埋め戻す。
第４工程
第３工程を経た後、各ブロック本体１Ａ、１Ａ．．に床板１Ｂを上方から被せ、第５ボルト穴１Ｂ３、１Ｂ３．．にブロック本体１Ａ側の第１ボルト穴１Ａ２１、１Ａ２１と第２ボルト穴１Ａ２２、１Ａ２２を対応させてボルトＢで連結する。
このようにして、人工土地ハを得る。
なお、上記第２工程について、当該第２工程における第１発明の人工土地用ブロック１、１．．におけるブロック本体１Ａ、１Ａ．．を前後左右に並べる際、プールなどを設置するためのプール用開口部（図示略）、あるいは露天風呂などを設置するための露天風呂用開口部（図示略）を設けることができる。
【００２１】
第５発明について説明する。（図３を参照する。）
第５発明の付帯設備を有する人工土地の形成方法は、下記の各工程から構成されている。（ステージを形成する場合）
第１工程
第２発明の方法で人工土地イを得る。
第２工程
人工土地イの側壁部分に昇降用階段体２を取付け、付帯設備を有する人工土地ニを得る。
この場合、昇降用階段体２は階段面２Ａと階段面の両面に取付けられた側板２Ｂから構成されている。
なお、第２発明の方法で人工土地イを得るほか、第２発明の方法に代え第３発明、第４発明のいずれかの方法で人工土地ロ、ハを得て昇降用階段体２を取付けることもできる。
【００２２】
第６発明について説明する。（図１０、図１１を参照する。）
第６発明の付帯設備を有する人工土地の形成方法は、下記の各工程から構成されている。（プールを配設する場合）
第１工程
第２発明の方法でプール用開口部１Ｅが形成されている人工土地イを得る。
第２工程
プール用開口部１Ｅにプール体３を取付ける。
この場合、プール体３はプール用開口部１Ｅの面積に対応する底板３Ａと、この底板に連設された側板３Ｂから構成されている。
図中、３Ｃは昇降用梯子である。
なお、第２発明の方法で人工土地イを得るほか、第２発明の方法に代え第３発明、第４発明、第５発明のいずれかの方法で、プール用開口部（図示略）が形成されている人工土地（図示略）を得てプール体３を取付けることもできる。
【００２３】
第７発明について説明する。（図１２、図１３を参照する。）
第７発明の付帯設備を有する人工土地の形成方法は、下記の各工程から構成されている。（露天風呂を配設する場合）
第１工程
第２発明の方法で露天風呂用開口部１Ｆが形成されている人工土地イを得る。
第２工程
露天風呂用開口部１Ｆに露天風呂体４を取付ける。
この場合、露天風呂体４は露天風呂用開口部１Ｆの面積に対応する底板４Ａと、この底板に連設された側板４Ｂから構成されている。
なお、第２発明の方法で人工土地イを得るほか、第２発明の方法に代え第３発明、第４発明、第５発明のいずれかの方法で、プール用開口部（図示略）が形成されている人工土地（図示略）を得て露天風呂体４を取付けることもできる。
【００２４】
第８発明について説明する。（図１４〜図１７を参照する。）
第８発明の付帯設備を有する人工土地の形成方法は、下記の各工程から構成されている。（フェンスを配設する場合）
第１工程
第２発明、第３発明、第４発明のいずれかの方法で人工土地イ、ロ、ハを得る。
第２工程
第１工程で得た人工土地の外周辺のうち、防風を所望する辺にフェンス体５を添設起立させる。
この場合、フェンス体５は、フェンス単体５Ａ、５Ａ．．から構成され、フェンス単体５Ａは、左右の縦枠５Ａ１１と上端の横枠５Ａ１２からなる門型枠５Ａ１と、この門型枠に下方脚５Ａ１３を残して張設された網５Ａ２から構成されている。
この各フェンス単体５Ａの人工土地への取付は、当該人工土地を構成するブロック本体１Ａにおける支柱１Ａ３に開設された第３ボルト穴１Ａ３１と第４ボルト穴１Ａ３２に、下方脚５Ａ１３のボルト穴をボルトＢにて連結固定する。
この場合、必要に応じてアンカー１Ｄを取付ける。
また、隣接するフェンス単体５Ａ、５Ａ同士の連結は、当接する当該フェンス単体における縦枠５Ａ１１、５Ａ１１をボルトＢにて連結固定する。
【００２５】
第９発明について説明する。（図１８を参照する。）
第９発明の付帯設備を有する人工土地の形成方法は、下記の各工程から構成されている。（ステージとハウスを配設する場合）
第１工程
第２発明、第３発明、第４発明のいずれかの方法で人工土地イ、ロ、ハを得る。
第２工程
第１工程で得た人工土地の外周辺のうち、防風を所望する辺にハウス体６を添設起立させる。
この場合、ハウス体６は、側壁６Ａと、側壁の上面に取付けられた屋根６Ｂから構成されている。
この場合、側壁単体６Ａ１、６Ａ１．．から構成され、側壁単体は、左右の縦枠６Ａ１１と上下端の横枠６Ａ１２からなる正面からみて縦長方形枠と、この縦長方形枠に張設された壁板６Ａ１３から構成されている。
この各側壁単体６Ａ１の人工土地への取付は、当該人工土地を構成するブロック本体１Ａにおける上方枠１Ａ２の上面に縦長方形枠の下端面を当接してボルトＢにて連結固定する。
また、隣接する側壁単体６Ａ１、６Ａ１同士の連結は、当接する当該側壁における縦枠６Ａ１１、６Ａ１１をボルトＢにて連結固定する。
図中、６Ａ２はドアーである。
【００２６】
【発明の効果】
本発明は、上述の通り構成されているので次に記載する効果を奏する。
１．第１発明の効果
全て同寸法の材を使用するので切断、穴あけ等が楽である。
２．第２発明の効果
１種類のブロック本体と床板で所望の面積のステージが確保できる。
３．第３発明の効果
強風によるステージの浮上がりを防止できる。
４．第４発明の効果
強風によるステージの浮上がりを防止すると共に、ステージとその上の荷重に耐える基礎の役目をする。
５．第５発明の効果
昇降用階段を取付けることで容易にステージに上ることができる。
６．第６発明の効果
ステージとプールを組合わせることで水はけの良い良好なプールサイドとなる。健康な生活の一環となる。
７．第７発明の効果
自宅または山荘に併設し湯、水の配管をすることで容易に露天風呂ができる。
８．第８発明の効果
露天風呂の囲いまたは他の外部からの遮断効果を得ることができ、また、フェンスの取り外しも容易である。
９．第９発明の効果
人工土地上にハウスを建てる場合、建物の土台部分をボルトで止めるだけでステージが基礎代わりとなり建物の重量を支える。また、建物に掛かる風圧による引抜き等もステージが支える。
【図面の簡単な説明】
【図１】第１発明の人工土地用ブロックの分解斜視図である。
【図２】同上の背面方向から見た人工土地用ブロックの分解斜視図である。
【図３】第２発明、第５発明で得た人工土地の斜視図である。
【図４】同上の要部拡大縦断面図である。
【図５】第１発明の人工土地用ブロックの他の実施例の分解斜視図である。
【図６】第１発明の人工土地用ブロックの他の実施例の分解斜視図である。
【図７】第３発明を説明する分解斜視図である。
【図８】第３発明で得た人工土地の要部拡大縦断面図である。
【図９】第４発明で得た人工土地の要部拡大縦断面図である。
【図１０】第６発明で得た人工土地の分解斜視図である。
【図１１】同上の要部拡大縦断面図である。
【図１２】第７発明で得た人工土地の分解斜視図である。
【図１３】同上の要部拡大縦断面図である。
【図１４】第８発明で得た人工土地の斜視図である。
【図１５】同上の要部拡大縦断面図である。
【図１６】図１５の分解斜視図である。
【図１７】図１５の要部分解斜視図である。
【図１８】第９発明で得た人工土地の斜視図である。
【図１９】同上の要部拡大縦断面図である。
【図２０】図１８の要部拡大横断面図である。
【符号の説明】
１  人工土地用ブロック
１Ａ  ブロック本体
１Ｂ  床板
１Ｄ  アンカー
２  昇降用階段
３  プール体
４  露天風呂体
５  フェンス体
６  ハウス体
イ、ロ、ハ、ニ  人工土地
【図１】
0003629432.tif 000002
【図２】
0003629432.tif 000003
【図３】
0003629432.tif 000004
【図４】
0003629432.tif 000005
【図５】
0003629432.tif 000006
【図６】
0003629432.tif 000007
【図７】
0003629432.tif 000008
【図８】
0003629432.tif 000009
【図９】
0003629432.tif 000010
【図１０】
0003629432.tif 000011
【図１１】
0003629432.tif 000012
【図１２】
0003629432.tif 000013
【図１３】
0003629432.tif 000014
【図１４】
0003629432.tif 000015
【図１５】
0003629432.tif 000016
【図１６】
0003629432.tif 000017
【図１７】
0003629432.tif 000018
【図１８】
0003629432.tif 000019
【図１９】
0003629432.tif 000020
【図２０】
0003629432.tif 000021